(57)【要約】      （修正有）【課題】絵画等の着脱が容易であるとともに、装着した絵画等が脱落することが無く、更に、裏面をも有効に活用することが可能なフレームを提供すること。【解決手段】写真、絵画、カード等を支持するためのフレームであって、透窓部（２０１）を有するとともに内周側に挿入溝（２０２）が形成されたフレーム本体（２）と、前記挿入溝（２０２）に縁部が挿入される形態でフレーム本体（２）の内周側に係止される透明体（３）と、を具備し、前記フレーム本体（２）は、複数のフレーム片（２ａ、２ｂ）に分割自在であるとともに、前記フレーム片（２ａ、２ｂ）における互いに当接する面のそれぞれにマグネット（４）を配設し、磁力によってフレーム片（２ａ、２ｂ）を互いに吸着可能としたことを特徴と、これにより、従来のフレームに不可欠であったトンボ等の係止部材を不要とし、絵画等の装着作業を容易にした。【選択図】図４
0003115286.tif 000002
【実用新案登録請求の範囲】
【請求項１】
写真、絵画、カード等を支持するためのフレームであって、
透窓部（２０２）を有するとともに内周側に挿入溝（２０１）が形成されたフレーム本体（２）と、
前記挿入溝（２０１）に縁部が挿入される形態でフレーム本体（２）の内周側に係止される透明体（３）と、を具備し、
前記フレーム本体（２）は、複数のフレーム片（２ａ、２ｂ）に分割自在であるとともに、前記フレーム片（２ａ、２ｂ）における互いに当接する面のそれぞれに互いに吸着可能な配置でマグネット（４）を配設し、磁力によってフレーム片（２ａ、２ｂ）を互いに吸着可能とした、ことを特徴とするフレーム。
【請求項２】
写真、絵画、カード等を支持するためのフレームであって、
透窓部（２０２）を有するとともに内周側に挿入溝（２０１）が形成されたフレーム本体（２）と、
前記挿入溝（２０１）に縁部が挿入される形態でフレーム本体（２）の内周側に係止される透明体（３）と、を具備し、
前記フレーム本体（２）は、複数のフレーム片（２ａ、２ｂ）に分割自在であるとともに、前記フレーム片（２ａ、２ｂ）における互いに当接する面の一方にマグネットを配設するとともに他方には前記マグネットに吸着可能な配置で磁性体を配設し、磁力によってフレーム片（２ａ、２ｂ）を互いに吸着可能とした、ことを特徴とするフレーム。
【請求項３】
前記フレーム本体（２）は、略Ｌ字状とした一対のフレーム片（２ａ、２ｂ）により構成されていることを特徴とする請求項１又は請求項２に記載のフレーム。
【請求項４】
前記フレーム本体（２）は、一対の脚部（１２０１ａ、１２０１ｂ）と該脚部（１２０２ａ、１２０１ｂ）の上端を連結した連通部（１２０２）とで構成される上側フレーム片（１２ａ）と、前記一対の脚部（１２０１ａ、１２０１ｂ）の下端を連通する支持側フレーム片（１２ｂ）により構成されていることを特徴とする請求項１又は請求項２に記載のフレーム。
【考案の詳細な説明】
【技術分野】
【０００１】
本考案は、写真、カード等を装着可能としたフレームに係り、より詳しくは、容易に写真、カード等を装着可能にしたフレームに関する。
【背景技術】
【０００２】
従来から、写真、絵画、カード等を飾る場合にはフレームが用いられている。即ち、このフレームは、長尺状のフレーム材を多角形状に枠組みすることにより構成された枠体と、この多角形状に枠組みされた枠体内に支持されるとともに、写真、絵画等を挟み込んで支持することが可能な透明体および裏板を備えており、透明体と裏板の間に写真、絵画等を挟み込むことにより、フレームに写真、絵画、カード等を支持し、その後このフレームを壁等に掛けることにより、写真、絵画、カード等を所望する箇所に飾ることを可能としている。
【０００３】
ここで、従来から一般的に用いられているフレームについて図面を参照して説明すると、図６は従来から用いられているフレームの縦断側面を示す図であり、また、図７は従来のフレームの背面図であり、図において３１が従来のフレームである。
【０００４】
そして、この従来から用いられているフレーム３１では、長尺状のフレーム材を、多角形状、より具体的には四角形状に枠組みした枠体３２を備えている。
【０００５】
また、この枠体３２は、裏面における内周側全域に載置棚部３２０１が形成されているとともに、この載置棚部３２０１に周縁部が載置される配置において、前記枠体３２内には、透明体３３が係止されている。
【０００６】
更に、この透明体３３の裏面には、透明体３３とほぼ同一の形状寸法を有する裏板３４が重ね合わされており、この裏板３４は、その裏面において、前記枠体３２の裏面に回動自在に備えた、「トンボ」と呼ばれる係止部材３５によって支持されており、これにより、前記枠体３２内には透明体３３及び裏板３４が、重ね合わされた状態で係止されている。
【０００７】
そして、使用に際しては、透明体３３及び裏板３４によって絵画、写真等を挟み込んだ状態において、透明体３３、および裏板３４を前記枠体３２内に係止し、この状態で、フレーム３１を壁等に引っ掛け、これにより写真、絵画等を所望する箇所に装着して飾ることを可能としている。
【考案の開示】
【考案が解決しようとする課題】
【０００８】
しかしながら、前述した従来のフレーム３１において写真等を装着する場合には、写真等を挟持した透明体３３及び裏板３４を枠体３２に係止し、その後に、係止部材３５を回動して裏板３４を枠体に固定しなければならないために、写真等の装着作業が繁雑にならざるを得なかった。
【０００９】
また、トンボ等の係止部材３５を用いて裏板３４を枠体に固定する方法においては、写真等の入れ替えを繰り返した場合には係止部材３５にガタが生じてきてしまい、係止部材として確実に裏板３４を固定することが困難になってしまう場合も考えられる。
【００１０】
更に、係止部材によって裏板を枠体に固定する従来のフレームでは、フレームの表面と裏面とが明確に区別されてしまうので裏面の見栄えが悪く、そのために、裏面を活用することができず、壁等に掛けて飾らざるを得なかった。
【００１１】
そこで、本考案は、絵画等の着脱が容易であるとともに、装着した絵画等が脱落することが無く、更に、裏面をも有効に活用することが可能なフレームを提供することを課題としている。
【課題を解決するための手段】
【００１２】
本考案のフレームは、写真、絵画、カード等を挟み込んで支持するためのフレームであって、内周側に挿入溝が形成されたフレーム本体と、前記挿入溝に縁部が挿入される形態でフレーム本体の内周側に係止される透明体と、を具備し、
前記フレーム本体は、複数のフレーム片に分割自在であるとともに、前記フレーム片における互いに当接する面のそれぞれに互いに吸着可能な配置でマグネットを配設し、磁力によってフレーム片を互いに吸着可能とした、ことを特徴としている。
【００１３】
また、本考案のフレームは、写真、絵画、カード等を支持するためのフレームであって、内周側に挿入溝が形成されたフレーム本体と、前記挿入溝に縁部が挿入される形態でフレーム本体の内周側に係止される透明体と、を具備し、
前記フレーム本体は、複数のフレーム片に分割自在であるとともに、前記フレーム片における互いに当接する面の一方にマグネットを配設するとともに他方には前記マグネットに吸着可能な配置で磁性体を配設し、磁力によってフレーム片を互いに吸着可能とした、ことを特徴としている。
【考案の効果】
【００１４】
本考案のフレームでは、内周側に透明体を支持可能なフレーム本体を複数のフレーム片に分割自在にするとともに、このフレーム片を磁力によって互いに吸着可能としている。
【００１５】
そのために、従来のフレームにおいて不可欠であったトンボ等の係止部材が不要となり、絵画、写真、カード等の装着作業を容易にすることが可能となるとともに、絵画等の入れ替えを繰り返した場合でも表側フレームと支持側フレームの吸着力を維持することができ、挟持している絵画等の脱落を防止できる。
【００１６】
更に、トンボ等の係止部材を用いていないために、表面と同様に裏面を活用することができ、例えば表裏面に絵画等を飾ることが可能となった。
【考案を実施するための最良の形態】
【００１７】
本考案のフレームでは、内周側に挿入溝が形成されたフレーム本体を有しており、このフレーム本体の内周側には、前記挿入溝に縁部が挿入される形態で、透明体が係止されている。
【００１８】
そして、前記フレーム本体は、複数のフレーム片により構成されており、フレーム片における互いに当接する面のそれぞれに互いに吸着可能な配置でマグネットを配設し、あるいは、フレーム片における互いに当接する面の一方にマグネットを配設するとともに他方には前記マグネットに吸着可能な配置で磁性体を配設し、磁力によってフレーム片を互いに吸着可能としている。
【００１９】
ここで、前記フレーム本体を構成するフレーム片の形状は特に限定されないが、例えば、フレーム本体を、略Ｌ字状とした一対のフレーム片で構成し、あるいは、略一対の脚部とこの脚部の上端を連結した連通部とで構成される上側フレーム片と、前記一対の脚部の下端を連通する支持側フレーム片により構成するとよい。
【実施例１】
【００２０】
本考案のフレームの実施例について図面を参照して説明すると、図１は、本実施例のフレームの正面図であり、また、図２は本実施例の縦断正面図、図３は本実施例のフレームの縦断側面図、図４は本実施例のフレームを分解した状態を示す分解斜視図であり、図において１が本実施例のフレームである。
【００２１】
そして、本実施例のフレーム１では、全体を略長方形としたフレーム本体２を備えており、このフレーム本体２における内周側には挿入溝２０１が形成されている。
【００２２】
次に、本実施例のフレームでは、前記フレーム本体２の内周側に支持される２枚の透明体３を備えており、この透明体３のそれぞれは、その周縁部が前記挿入溝２０１内に挿入可能な形状寸法とされ、周縁部が前記挿入溝２０１内に挿入されることにより、フレーム本体２の内周に支持されている。
【００２３】
ここで、前記フレーム本体２について説明すると、本実施例において前記フレーム本体２は、図４からも明らかなように、略Ｌ字状とした一対のフレーム片２ａ、２ｂにより構成されており、その端面どうしを当接することでフレーム本体２を構成可能としている。
【００２４】
そして、前記一対のフレーム片２ａ、２ｂのそれぞれにおいて、互いに当接する面にはマグネット４が配設されており、これにより、フレーム片２ａ、２ｂのそれぞれは、マグネット４の磁力により互いに吸着可能としている。
【００２５】
従って、本実施例のフレーム１では、フレーム片のいずれか一方側の挿入溝２０１内に透明体３の周縁部を挿入した状態でフレーム片２ａ、２ｂの端面を当接することのみで、透明体３を支持することができるため、従来のフレームに不可欠であったトンボ等の係止部材を用いること無く、透明体３間に絵画、写真、カード等を挟持固定することが可能である。
【００２６】
次に、このように構成される本実施例のフレーム１の作用について説明すると、本実施例のフレームに絵画、写真、カード等を装着する場合には、まず、フレーム片２ａ、２ｂを分離して２枚の透明体３を取り出し、この２枚の透明体３によって装着を所望する絵画、写真、カード等を挟持する。
【００２７】
次に、分離したフレーム片２ａ、２ｂのいずれか一方の挿入溝２０１内に、絵画、写真、カード等を挟持した２枚の透明体３の周縁部を挿入するとともに、この状態において、他方のフレーム片の挿入溝内に透明体３の残りの周縁部が挿入されるようにしつつ、フレーム片２ａ、２ｂの端面どうしを当接する。
【００２８】
そうすると、マグネット４の磁力によって、フレーム片２ａ、２ｂは、透明体３を支持しつつ互いに吸着し合い、これにより、絵画、写真、カード等の装着が完了する。
【００２９】
そして、このとき、本実施例のフレーム１では、その内周側に透明体を支持するフレーム本体を構成するフレーム片を磁力によって互いに吸着可能とし、従来のフレームに不可欠であったトンボ等の係止部材を不要としたために、絵画、写真等の装着作業が容易になった。
【００３０】
更に、磁力を用いているために、絵画等の入れ替えを繰り返した場合でも表側フレームと支持側フレームの吸着を維持することができるため、挟持している絵画等の脱落を有効に防止できる。
【００３１】
更にまた、トンボ等の係止部材を用いていないために、表面と同様に裏面を活用することができ、例えば、互いに背面側を当接させた状態の２枚の絵画等を透明体４で挟持することにより、表裏双方から絵画、写真、カード等を楽しむこともでき、かかる場合には、フレームを壁等に掛けて飾る必要もなくなる。
【００３２】
このように、本実施例のフレームによれば、絵画等の装着作業が容易になるとともに、絵画等の入れ替えを繰り返した場合でも装着した絵画等が脱落することを防止でき、更にフレームの表裏を有効に活用することが可能となった。
【００３３】
なお、前述の実施例では、略Ｌ字状とした一対のフレーム片２ａ、２ｂによりフレーム本体２を構成した場合を説明したが、本考案におけるフレーム本体２は、複数のフレーム片に分割自在であるとともにフレーム片を磁力により互いに吸着可能であればよく、フレーム片の形状は特に限定されない。
【００３４】
例えば、図５は、本考案のフレーム本体の他の形態１２を示す縦断正面図であり、図５に示すフレーム１２では、上側フレーム片１２ａと支持側フレーム片１２ｂとでフレーム本体１２を構成している。そして、上側フレーム片１２ａは、間隔を置いて略平行に配置された略一対の脚部１２０１ａ、１２０１ｂと、この一対の脚部１２０２ａ、１２０１ｂの上端を連結した連通部１２０２とで構成され、一対の脚部１２０２ａ、１２０１ｂと連通部１２０２とで囲まれる空間を透窓部１２０５としているとともに、上側フレーム片１２ａの内周側全域には、透明体の周縁部が挿入される挿入溝１２０４が形成されている。
【００３５】
また、支持側フレーム片１２ｂは、前記一対の脚部１２０１ａ、１２０１ｂの下端を連通する角棒状としており、上側フレーム片１２ａと支持側フレーム片１２ｂとの当接面にはそれぞれ、互いに吸着可能な配置でマグネット４が配設されている。
【００３６】
なお、前述の実施例では、フレーム片２ａ、２ｂの双方にマグネット４を配設した場合を説明したが、このほか、一方のフレーム片にマグネットを配設するとともに他方側には磁性体を配設してもよい。
【産業上の利用可能性】
【００３７】
本考案のフレームは、複数のフレーム片によって、透明体を支持可能なフレーム本体を構成するとともに、磁力によってフレーム片を互いに吸着可能とし、これにより従来のフレームに不可欠であったトンボ等の係止部材を不要としているために、透明体によって絵画、写真等を挟持固定可能なフレームの全般に適用可能である。
【図面の簡単な説明】
【００３８】
【図１】本考案のフレームの実施例の正面図である。
【図２】本考案のフレームの実施例の縦断正面図である。
【図３】本考案のフレームの実施例の縦断側面図である。
【図４】本考案のフレームの実施例の分解斜視図である。
【図５】フレーム本体の他の形態を示す縦断正面図である。
【図６】従来のフレームを説明するための図である。
【図７】従来のフレームを説明するための図である。
【符号の説明】
【００３９】
１    フレーム
２、１２    フレーム本体
２０１    挿入溝
２０２    透窓部
２ａ、２ｂ    フレーム片
１２ａ、１２ｂ    フレーム片
３    透明体
４    マグネット
１２０１ａ、１２０１ｂ    一対の脚部
１２０２    連通部
１２０４    挿入部
１２０５    透窓部
【図１】
0003115286.tif 000003
【図２】
0003115286.tif 000004
【図３】
0003115286.tif 000005
【図４】
0003115286.tif 000006
【図５】
0003115286.tif 000007
【図６】
0003115286.tif 000008
【図７】
0003115286.tif 000009